(57)【要約】【課題】  信頼性及び生産性を向上させ得る光ピックアップ装置を提案する。【解決手段】  光ピックアップ装置において、カップリングレンズをレーザ光の光路に沿って対物レンズに近接又は離反する方向に移動させるカップリングレンズ移動機構のモータに電力を供給するフレキシブルプリント基板について、モータの端子を嵌め込む貫通孔に、当該貫通孔にモータの端子が嵌め込まれたときにそれぞれ接触するように、当該貫通孔の内側に突出する複数の突出部を設けるようにした。【選択図】        図６
2011248981.tif 000002
【特許請求の範囲】
【請求項１】
光ディスクにレーザ光を照射し、前記レーザ光の前記光ディスクにおける反射光に基づいて前記光ディスクから情報を読み出し及び又は前記光ディスクに情報を書き込む光ピックアップにおいて、
前記レーザ光を発射する半導体レーザと、
前記半導体レーザから発射された前記レーザ光を前記光ディスクにおける記録層上に集光する対物レンズと、
前記半導体レーザ及び前記対物レンズ間における前記レーザ光の光路上に配置されたカップリングレンズと、
前記カップリングレンズを前記レーザ光の光路に沿って前記対物レンズに近接又は離反する方向に移動させるカップリングレンズ移動機構と
を備え、
前記カップリングレンズ移動機構は、前記カップリングレンズを移動させる際の動力源としてのモータを有し、
前記モータには、フレキシブルプリント基板を介して電力が供給され、
前記モータ及び前記フレキシブルプリント基板は、前記フレキシブルプリント基板の所定位置に設けられた貫通孔に前記モータの端子を嵌め込み、前記フレキシブルプリント基板の前記貫通孔の周囲に形成されたランドパターン及び前記モータの端子をはんだ付けするようにして接続され、
前記フレキシブルプリント基板の前記貫通孔には、当該貫通孔に前記モータの端子が嵌め込まれたときにそれぞれ接触するように、当該貫通孔の内側に突出する複数の突出部が設けられた
ことを特徴とする光ピックアップ装置。
【請求項２】
前記フレキシブルプリント基板の前記貫通孔の前記突出部が、当該貫通孔の中心位置を中心とする点対称状に形成された
ことを特徴とする請求項１に記載の光ピックアップ装置。
【請求項３】
前記貫通孔における隣接する前記突出部間を接続する接続部が円弧状に形成された
ことを特徴とする請求項１に記載の光ピックアップ装置。
【発明の詳細な説明】
【技術分野】
【０００１】
本発明は光ピックアップ装置に関し、例えば可動式のコリメータレンズを用いた球面収差補正機構が搭載された光ピックアップ装置に適用して好適なものである。
【背景技術】
【０００２】
従来、光ディスク装置においては、レーザダイオードから発射されたレーザ光を対物レンズにより光ディスクの記録層上に集光し、そのレーザ光のその記録層における反射光の光量変化に基づいて、かかる記録層に記録されたデータを再生している。
【０００３】
このような光ディスク装置では、光ディスクに入射したレーザ光が記録層に到達するまでの間に、光ディスクにおけるレーザ光の入射面（以下、これを単にレーザ入射面と呼ぶ）から記録層までの厚みに応じた大きさの球面収差がレーザ光に発生することが知られている。
【０００４】
この場合、光ディスクにおけるレーザ入射面から記録層までの厚みは、ブルーレイディスク（ＢＤ：Blu-ray Disc）、ＤＶＤ（Digital Versatile Disc）又はＣＤ（Compact Disc）といった光ディスクの種類毎にそれぞれ予め規格により定められている。そこで、従来の光ディスク装置においては、光ディスクにおいて発生する球面収差を、レーザ光が対物レンズを通過する際に発生する球面収差によってキャンセルし得るように、対物レンズの形状等が予め設計されている。
【０００５】
一方、近年では、記録層を複数有する多層光ディスクも登場している。このような多層光ディスクでは、レーザ入射面から各記録層までの距離がそれぞれ異なるため、レーザ光が各記録層に到達するまでの間に当該レーザ光に発生する球面収差の大きさも記録層ごとにそれぞれ異なる。このため多層光ディスクについては、すべての記録層に共通して、レーザ光に発生する球面収差をキャンセルできるような対物レンズを形成することはできない。
【０００６】
そこで、従来、２層の記録層を有する２層光ディスクに対応した光ディスク装置について、対物レンズを通過するレーザ光に発生する球面収差が２つの記録層の間の任意の位置において最小となるように対物レンズを形成することにより、各記録層における球面収差の影響を許容範囲内に抑える方法が特許文献１において提案されている。
【先行技術文献】
【特許文献】
【０００７】
【特許文献１】特許３１８９６１６号公報
【発明の概要】
【発明が解決しようとする課題】
【０００８】
近年では、多層光ディスクに対応した光ディスク装置の光ピックアップに、可動式のコリメータレンズを用いた球面収差補正機構を搭載する方法も提案されている。具体的には、レーザ光の光路上に可動式のコリメータレンズを配置し、このコリメータレンズをレーザ光の光軸方向に沿って対物レンズに近接又は離反する方向に移動させることで、対物レンズに入射するレーザ光を収束又は発散光に変化させ、これにより対物レンズを透過するレーザ光に発生する球面収差の大きさを調整する。
【０００９】
このような球面収差補正機構を用いた球面収差補正方法によれば、多層光ディスク装置の各記録層上において、レーザ光が光ディスクを通過する際に発生した球面収差を、当該レーザ光が対物レンズを透過する際に発生する球面収差によって確実にキャンセルすることが可能となる。従って、この球面収差補正方法は、特にレーザ光の波長が短く球面収差の影響を受けやすい多層ＢＤに対応した光ディスク装置には有効である。
【００１０】
上述のような球面収差補正機構が搭載された光ディスク装置においては、かかる可動式のコリメータレンズをレーザ光の光軸方向に沿って対物レンズに近接又は離反する方向に移動させるための動力源としてステッピングモータが用いられており、このステッピングモータへの電力供給がフレキシブルプリント基板（ＦＰＣ：Flexible Printed Circuit）を介して行われている。
【００１１】
この場合、ステッピングモータ及びフレキシブルプリント基板の電気的な接続は、ステッピングモータの各端子を、これらの端子にそれぞれ対応させてフレキシブルプリント基板に形成された複数の貫通孔（以下、これをモータ端子用貫通孔と呼ぶ）に嵌め込んだ後に、ステッピングモータの端子を、フレキシブルプリント基板における当該端子が嵌め込まれたモータ端子用貫通孔の周囲に形成されたランドパターンにはんだ付けすることにより行われる。このためフレキシブルプリント基板のモータ端子用貫通孔は、余裕をもってステッピングモータの端子を嵌め込み得るように、当該端子の外寸よりも若干大きめに形成されている。
【００１２】
しなしながら、このようにフレキシブルプリント基板のモータ端子用貫通孔をステッピングモータの端子よりも大きめに形成した場合、フレキシブルプリント基板のモータ端子用貫通孔にステッピングモータの端子を嵌め込んだときに当該モータ端子用貫通孔及び当該端子間に生じる隙間の存在により、フレキシブルプリント基板のランドパターンとステッピングモータの端子とのはんだ付け時に、はんだがフレキシブルプリント基板のランドパターン全体とステッピングモータの端子との双方に広がらず、ステッピングモータ及びフレキシブルプリント基板間の接続不良が発生するおそれがあった。
【００１３】
本発明は以上の点を考慮してなされたもので、モータ及びフレキシブルプリント基板間の接続不良の発生を防止して、信頼性及び生産性を向上させ得る光ピックアップ装置を提案しようとするものである。
【課題を解決するための手段】
【００１４】
かかる課題を解決するため本発明においては、光ディスクにレーザ光を照射し、前記レーザ光の前記光ディスクにおける反射光に基づいて前記光ディスクから情報を読み出し及び又は前記光ディスクに情報を書き込む光ピックアップにおいて、前記レーザ光を発射する半導体レーザと、前記半導体レーザから発射された前記レーザ光を前記光ディスクにおける記録層上に集光する対物レンズと、前記半導体レーザ及び前記対物レンズ間における前記レーザ光の光路上に配置されたカップリングレンズと、前記カップリングレンズを前記レーザ光の光路に沿って前記対物レンズに近接又は離反する方向に移動させるカップリングレンズ移動機構とを設け、前記カップリングレンズ移動機構は、前記カップリングレンズを移動させる際の動力源としてのモータを有し、前記モータには、フレキシブルプリント基板を介して電力が供給され、前記モータ及び前記フレキシブルプリント基板は、前記フレキシブルプリント基板の所定位置に設けられた貫通孔に前記モータの端子を嵌め込み、前記フレキシブルプリント基板の前記貫通孔の周囲に形成されたランドパターン及び前記モータの端子をはんだ付けするようにして接続され、前記フレキシブルプリント基板の前記貫通孔には、当該貫通孔に前記モータの端子が嵌め込まれたときにそれぞれ接触するように、当該貫通孔の内側に突出する複数の突出部を設けるようにした。
【発明の効果】
【００１５】
本発明によれば、フレキシブルプリント基板のランドパターンと、モータの端子とをはんだ付けする際に、モータの端子及びフレキシブルプリント基板のランドパターンの双方に均一に広がるように、はんだをフレキシブルプリント基板の突出部により誘導することができるため、モータの端子とフレキシブルプリント基板のランドパターンとを確実に電気的及び物理的に接続することができる。かくするにつき、モータ及びフレキシブルプリント基板間の接続不良の発生を防止して、光ピックアップ３の信頼性及び生産性を向上させることができる。
【図面の簡単な説明】
【００１６】
【図１】本実施の形態による光ディスク装置の概略構成を示す平面図である。
【図２】図１に示す光ディスク装置の光ピックアップの光学系の構成を示す斜視図である。
【図３】図１に示す光ディスク装置の信号処理系の構成を示すブロック図である。
【図４】（Ａ）−（Ｃ）は、ステッピングモータ及びフレキシブルプリント基板の接続手順の説明に供する斜視図である。
【図５】（Ａ）−（Ｃ）は、ステッピングモータ及びフレキシブルプリント基板の接続手順の説明に供する側面図である。
【図６】フレキシブルプリント基板のモータ端子用貫通孔及びランドパターンの構成を示す平面図である。
【発明を実施するための形態】
【００１７】
以下図面について、本発明の一実施の形態を詳述する。
【００１８】
（１）本実施の形態による光ディスク装置の構成
図１において、１は全体として本実施の形態による光ディスク装置１を示す。この光ディスク装置１は、多層のＢＤ、ＤＶＤ及びＣＤなどの光ディスク２に対してデータを読み書き可能な光ピックアップ３と、この光ピックアップ３を光ディスク２の径方向に搬送する光ピックアップ搬送機能４とを備えて構成される。
【００１９】
光ピックアップ搬送機構４は、所定位置に装填される光ディスク２の径方向（矢印ａ方向）と平行に、かつ光ピックアップ３の筐体を挿通するように配置された２本のガイドレール１０Ａ，１０Ｂを備える。また光ピックアップ搬送機構４は、ガイドレール１０Ａ，１０Ｂと平行に、かつ回転自在に枢支されたスクリュー１１と、スクリュー１１をその中心軸の回りに回転駆動させる送りモータ１２と、スクリュー１１に螺着されたスライダ１３とを備え、スライダ１３が光ピックアップ３に固定されている。
【００２０】
これにより光ピックアップ搬送機構４においては、送りモータ１２を回転駆動することによって、光ピックアップ３をガイドレール１０Ａ，１０Ｂに沿って光ディスク２の径方向にスライド移動させることができるようになされている。
【００２１】
一方、光ピックアップ３は、図２に示すように、ＣＤ又はＤＶＤに対してデータを光学的に読み書きするための第１の光学系２０と、ＢＤに対してデータを光学的に読み書きするための第２の光学系３０とを備える。
【００２２】
このうち第１の光学系２０は、２波長半導体レーザ２１、回折格子２２、波長選択性ハーフミラー２３、カップリングレンズ２４、１／４波長板２５、全反射ミラー２６、対物レンズ２７、検出レンズ２８及び光検出器２９を備えて構成される。
【００２３】
２波長半導体レーザ２１は、ＣＤ規格に対応した785〔nm〕帯のレーザ光と、ＤＶＤ規格に対応した660〔nm〕帯のレーザ光とを発射可能なレーザダイオードである。この２波長半導体レーザ２１から発射されたレーザ光Ｌ１Ａが回折格子２２により３本のレーザ光（０次光、＋１次光及び−１次光）に分割された後に、波長選択性ハーフミラー２３を介してカップリングレンズ２４に入射し、このカップリングレンズにおいて平行化される。また３本のレーザ光Ｌ１Ａは、この後、１／４波長板２５において１／４波長分の位相差を生じさせられた後に全反射ミラー２６により立ち上げられて対物レンズ２７に入射し、この対物レンズ２７により光ディスク２（ＤＶＤ又はＣＤ）の記録層上に集光される。
【００２４】
また、光ディスク２のかかる記録層におけるこれら３本のレーザ光Ｌ１Ａの各反射光Ｌ２Ａは、それぞれ対物レンズ２７及び全反射ミラー２６を介して１／４波長板２５に入射する。そして、これら３本の反射光Ｌ２Ａは、それぞれ１／４波長板２５において１／４波長分の位相差を生じさせられ、カップリングレンズ２４において収束光に変換された後に波長選択性ハーフミラー２３及び検出レンズ２８を介して光検出器２９の受光面上に集光される。
【００２５】
なお、対物レンズ２７は、図示しない２軸または３軸アクチュエータにより保持されており、この２軸または３軸アクチュエータによって、光ディスク２に対して近接する方向又は離反する方向に変位させたり、光ディスク２の半径方向に変位させたり、光ディスク２の径方向に傾かせる（３軸アクチュエータの場合）ことができる。
【００２６】
また第２の光学系３０は、半導体レーザ３１、回折格子３２、偏光ビームスプリッタ３３、１／４波長板３４、カップリングレンズ３５、全反射ミラー３６、対物レンズ３７及び光検出器３８と、カップリングレンズ移動機構３９とから構成される。
【００２７】
半導体レーザ３１は、ＢＤ規格に対応した405〔nm〕帯のレーザ光を発射するレーザダイオードである。この半導体レーザ３１から発射されたレーザ光Ｌ１Ｂが回折格子３２により３本のレーザ光（０次光、＋１次光及び−１次光）に分割された後に、偏光ビームスプリッタ３３及び１／４波長板３４を介してカップリングレンズ３５に入射する。そして３本のレーザ光Ｌ１Ｂは、カップリングレンズ３５において平行化されると共に球面収差補正が施された後に全反射ミラー３６により立ち上げられて対物レンズ３７に入射し、この対物レンズ３７により光ディスク２（ＢＤ）の記録層上に集光される。
【００２８】
また、光ディスク２におけるこれら３本のレーザ光Ｌ１Ｂの各反射光Ｌ２Ｂは、それぞれ全反射ミラー３６を介してカップリングレンズ３５に入射する。そしてこれら３本の反射光Ｌ２Ｂは、それぞれカップリングレンズ３５において平行化され、１／４波長板３４において１／４波長分の位相差を生じさせられた後に偏光ビームスプリッタ３３を介して光検出器３８の受光面上に集光される。
【００２９】
カップリングレンズ移動機構３９は、動力源としてのステッピングモータ４１と、第２の光学系３０における偏光ビームスプリッタ３３及び全反射ミラー３６間におけるレーザ光Ｌ１Ａの光軸方向（矢印ｂ方向）と平行に位置するように取り付けられたスクリュー４２と、スクリュー４２と平行に配設されたシャフト４３とを備える。
【００３０】
ステッピングモータ４１は、後述するサーボ部５９（図３）とフレキシブルプリント基板４０を介して電気的に接続され、このフレキシブルプリント基板４０を介して当該サーボ部５９から駆動電力が供給される。またスクリュー４２は、ステッピングモータ４１の出力軸に、当該出力軸と同軸に取り付けられている。
【００３１】
さらにシャフト４３には、当該シャフト４３に沿って矢印ｂ方向にスライド自在にカップリングレンズホルダ４４が嵌め込まれており、このカップリングレンズホルダ４４により、第２の光学系３０の偏光ビームスプリッタ３３及び全反射ミラー３６間におけるメインのレーザ光Ｌ１Ａ（０次光）の光軸とその光軸が一致するようにカップリングレンズ３５が保持されている。さらにカップリングレンズホルダ４４には、与圧ばね４６によりスクリュー４２にギア部４５Ａが押しつけられるようにしてラックギア４５が取り付けられている。
【００３２】
これにより光ピックアップ３においては、カップリングレンズ移動機構３９のステッピングモータ４１を回転駆動することによって、カップリングレンズホルダ４４と一体にカップリングレンズ３５をシャフト４３に沿って矢印ｂ方向及びこれと逆方向（つまり対物レンズ３７に近接又は離反する方向）に移動させることができ、これによりカップリングレンズ３５の位置を調整することによって、光ディスク２内を通過するレーザ光Ｌ１Ｂに発生する球面収差を補正することができるようになされている。
【００３３】
図３は、光ディスク装置の信号処理系の概略構成を示す。この図３に示すように、ホストコンピュータ５０との間のインタフェースとして機能するインタフェース部５１を備えており、ホストコンピュータ５０から送信される各種コマンドを、インタフェース部５１を介して信号処理部５２に入力する。
【００３４】
信号処理部５２は、ＣＰＵ及びメモリ等の情報処理資源を備えるマイクロコンピュータ構成でなり、ホストコンピュータ５０から与えられるコマンドに従って必要な制御処理や演算処理を実行する。
【００３５】
例えば、信号処理部５２は、ホストコンピュータ５０から記録コマンドが与えられた場合には、モータ駆動部５３を制御してスピンドルモータ５４を駆動させることにより、装填された光ディスク２を当該光ディスク２の記録方式（例えばＣＡＶ方式又はＣＬＶ方式）に応じた回転状態で回転させる。
【００３６】
また信号処理部５２は、この後ホストコンピュータ５０からインタフェース部５１を介して与えられる記録対象のデータに対して変調処理を含む所定の信号処理を施し、かくして得られた記録信号を駆動信号としてレーザ駆動部５５に送出する。
【００３７】
レーザ駆動部５５は、信号処理部５２から与えられる駆動信号に基づいて、光ピックアップ３内の２波長半導体レーザ２１（図２）又は半導体レーザ３１（図３）を点滅駆動する。この結果、かかる駆動信号（記録信号）の内容に応じた点滅パターン及び当該駆動信号の信号レベルに応じた光量のレーザ光Ｌ１（Ｌ１Ａ，Ｌ１Ｂ）が２波長半導体レーザ２１又は半導体レーザ３１から発射され、このレーザ光Ｌ１が光ピックアップ３内の対物レンズ２７，３７（図２）を介して光ディスク２の記録層上に集光される。これにより記録対象のデータが光ディスク２に記録される。
【００３８】
また、かかるレーザ光Ｌ１の光ディスク２における反射光Ｌ２（Ｌ２Ａ，Ｌ２Ｂ）は、光ピックアップ３内の光検出器２９，３８（図２）において光電変換され、かくして得られたＲＦ（Radio Frequency）信号がアナログ／ディジタル変換部５６においてディジタル変換されて、ディジタルＲＦ信号として信号処理部５２を介してサーボ信号生成部５７及びチルト信号生成部５８に与えられる。
【００３９】
サーボ信号生成部５７は、供給されるディジタルＲＦ信号に基づいて、フォーカスエラー信号、トラッキングエラー信号又は球面収差補正信号などの各種制御信号を生成し、生成した制御信号をサーボ部５９に送信する。またサーボ部５９は、供給されるフォーカスエラー信号及びトラッキングエラー信号に基づいて光ピックアップ３内において対物レンズ２７，３７を保持する２軸または３軸アクチュエータ６０や、送りモータ１２（図１）を必要に応じて駆動させる。これによりフォーカス制御及びトラッキング制御が行われる。
【００４０】
またチルト信号生成部５８は、供給されるディジタルＲＦ信号に基づいてチルト制御信号を生成し、これをチルト制御部６１に送信する。そしてチルト制御部６１は、このチルト制御信号に基づいて上述の２軸または３軸アクチュエータ６０を必要に応じて駆動させることにより、対物レンズ２７，３７を光ディスク２の径方向に傾かせる。
【００４１】
一方、信号処理部５２は、インタフェース部５１を介してホストコンピュータ５０からの再生コマンドを受信すると、モータ駆動部５３を制御してスピンドルモータ５４を駆動させることにより、光ディスク２を当該光ディスク２の記録方式に応じた回転状態で回転させる。
【００４２】
また信号処理部５２は、レーザ駆動部５５を制御して、光ピックアップ３内の２波長半導体レーザ２１又は半導体レーザ３１を所定電圧で点灯駆動させる。この結果、この２波長半導体レーザ２１又は半導体レーザ３１から所定パワーのレーザ光Ｌ１が発射され、このレーザ光Ｌ１が上述の対物レンズ２７，３７を介して光ディスク２の記録層上に集光される。
【００４３】
そして、このレーザ光Ｌ１の光ディスク２における反射光Ｌ２は、光ピックアップ３内の対応する光検出器２９，３８（図２）により光電変換され、かくして得られたＲＦ信号がアナログ／ディジタル変換部５６においてディジタル変換されてディジタルＲＦ信号として信号処理部５２に与えられる。
【００４４】
信号処理部５２は、供給されるディジタルＲＦ信号に対して復調処理等の処理の再生信号処理を施し、かくして得られた再生されたデータを、インタフェース部５１を介してホストコンピュータ５０に送出する。
【００４５】
また、かかるディジタルＲＦ信号は、信号処理部５２を介してサーボ信号生成部５７及びチルト信号生成部５８にも与えられる。そして、このディジタルＲＦ信号に基づいて、データ記録時と同様にしてサーボ信号生成部５７においてフォーカスエラー信号及びトラッキングエラー信号が生成されると共に、チルト信号生成部５８においてチルト信号が生成される。かくしてこれらフォーカスエラー信号、トラッキングエラー信号及びチルト信号に基づいて、データ記録時と同様にして、フォーカス制御、トラッキング制御及びチルト制御が行なわれる。
【００４６】
なお信号処理部５２は、光ディスク２にデータを読み書きする際、光ディスク２におけるデータを読み書きすべき記録層をサーボ信号生成部５７に通知する。そしてサーボ信号生成部５７は、この通知に従ってサーボ部５９を介して光ピックアップ３内の対応する２軸または３軸アクチュエータ６０を必要に応じて駆動することにより、２波長半導体レーザ２１又は半導体レーザ３１から発射されるレーザ光Ｌ１が信号処理部５２から通知された記録層上に集光するように対物レンズ２７，３７の基準位置を光ディスク２に近接又は離反する方向に移動させる。
【００４７】
またサーボ信号生成部５７は、光ディスク２がＢＤである場合には、上述のような対物レンズ３７の基準位置の変更と併せて、その光ディスク２のデータを読み書きすべき記録層に集光されるレーザ光Ｌ１の球面収差を補正する位置にカップリングレンズ３５（図２）を移動させるように、必要に応じてサーボ部５９を介してカップリングレンズ移動機構３９のステッピングモータ４１を駆動する。
【００４８】
（２）フレキシブルプリント基板の詳細構成
図４（Ａ）〜（Ｃ）及び図５（Ａ）〜（Ｃ）は、図２について上述したカップリングレンズ移動機構３９のステッピングモータ４１及びフレキシブルプリント基板４０の接続手順を示す。
【００４９】
本実施の形態によるステッピングモータ４１は、図４（Ａ）に示すように、ハウジング４１Ａの一部に凹部４１ＡＡが形成されており、この凹部４１ＡＡ内に合成樹脂材からなる端子用部品７０が固定されている。端子用部品７０には４本の端子用突起７０Ａが直線状に並べて形成され、図５（Ａ）に示すように、これらの各端子用突起７０Ａにそれぞれハウジング４１Ａの内部から引き出された導線７１が巻き付けられて複数の端子４１Ｂが形成されている。
【００５０】
またフレキシブルプリント基板４０は、例えばポリイミド基板の一面側又は両面側に銅等の金属材からなるパターンが形成されたものである。このフレキシブルプリント基板４０には、ステッピングモータ４１のかかる端子４１Ｂにそれぞれ対応させて所定位置に複数の貫通孔（以下、これをモータ端子用貫通孔と呼ぶ）４０Ａが穿設されており、図６に示すように、これらモータ端子用貫通孔４０Ａの周囲にそれぞれランドパターン４０Ｂが形成されている。
【００５１】
そしてステッピングモータ４１は、図４（Ｂ）及び図５（Ｂ）に示すように、各端子４１Ｂをそれぞれフレキシブルプリント基板４０の対応するモータ端子用貫通孔４０Ａに嵌め込み、この後、図４（Ｃ）及び図５（Ｃ）に示すように、ステッピングモータ４１の各端子４１Ｂと、その端子４１Ｂが嵌め込まれたモータ端子用貫通孔４０Ａの周囲に形成されたランドパターン４０Ｂとをはんだ７２に一体化（つまり、はんだ付け）するようにして、フレキシブルプリント基板４０と電気的及び物理的に接続されている。
【００５２】
この場合において、本実施の形態の光ディスク装置１においては、図６のようにフレキシブルプリント基板４０の各モータ端子用貫通孔４０Ａの形状が花形形状に形成されている点を特徴の１つとする。
【００５３】
実際上、フレキシブルプリント基板４０の各モータ端子用貫通孔４０Ａには、当該モータ端子用貫通孔４０Ａの中心位置を中心とした点対称状に、かつ、ステッピングモータ４１の端子４１Ｂが嵌め込まれたときにそれぞれ接触するように（より正確には、対向したもの同士の頂点間の距離がステッピングモータ４１の端子４１Ｂの対応部位の外寸よりも小さくなるように）、当該モータ端子用貫通孔４０Ａの内側に突出する複数の山形状の突出部４０ＡＡが設けられている。
【００５４】
これによりフレキシブルプリント基板４０においては、ステッピングモータ４１の端子４１Ｂをモータ端子用貫通孔４０Ａに嵌め込んだときに、図５（Ｂ）のように、かかるモータ端子用貫通孔４０Ａの各突出部４０ＡＡがそれぞれステッピングモータ４１の端子４１Ｂの挿入方向にめくり上がり、これらめくり上がった個々の突出部４０ＡＡが、元に戻ろうとする力によって、挿入されたステッピングモータ４１の端子４１Ｂと圧接する。この結果、モータ端子用貫通孔４０Ａに挿入されたステッピングモータ４１の端子４１Ｂを、そのモータ端子用貫通孔４０Ａの中心位置に位置決めすることができる。
【００５５】
またフレキシブルプリント基板４０においては、この後、ステッピングモータ４１の端子４１Ｂとフレキシブルプリント基板４０の対応するランドパターン４０Ｂとを図４（Ｃ）及び図５（Ｃ）のようにはんだ付けする際に、はんだが、フレキシブルプリント基板４０の突出部４０ＡＡに誘導されてステッピングモータ４１の端子４１Ｂ及びフレキシブルプリント基板４０のランドパターン４０Ｂの双方に均一に広がるため、ステッピングモータ４１の端子４１Ｂとフレキシブルプリント基板４０のランドパターン４０Ｂとを確実に電気的及び物理的に接続することができる。
【００５６】
なお、上述のように本実施の形態においては、ステッピングモータ４１の端子４１Ｂをフレキシブルプリント基板４０のモータ端子用貫通孔４０Ａに嵌め込んだときに当該モータ端子用貫通孔４０Ａの各突出部４０ＡＡがそれぞれステッピングモータ１４の端子４１Ｂの挿入方向にめくり上がるため、例えばフレキシブルプリント基板４０のモータ端子用貫通孔４０Ａにおける隣接する突出部４０ＡＡ同士を接続する部位に角があると、その部分から亀裂が発生するおそれがある。
【００５７】
そこで、本実施の形態においては、図６に示すように、フレキシブルプリント基板４０の各モータ端子用貫通孔４０Ａにおける隣接する突出部４０ＡＡ同士を接続する接続部４０ＡＢの形状が突出部４０ＡＡと滑らかに続く円弧状に形成されており、これによりモータ端子用貫通孔４０Ａの各突出部４０ＡＡがそれぞれめくり上がったときに接続部４０ＡＢに生じる応力を接続部４０ＡＢ全体に均等に分散させて、接続部４０ＡＢに亀裂が生じるのを未然に防止し得るようになされている。
【００５８】
（３）本実施の形態の効果
以上のように、本実施の形態によれば、光ピックアップ３のカップリングレンズ移動機構３９を構成するステッピングモータ４１の各端子４１Ｂと、フレキシブルプリント基板４０の対応するランドパターン４０Ｂとを確実に電気的及び物理的に接続することができる。かくするにつき、ステッピングモータ４１及びフレキシブルプリント基板４０間の接続不良の発生を防止して、光ピックアップ３の信頼性及び生産性を向上させることができる。
【００５９】
（４）他の実施の形態
なお上述の実施の形態においては、フレキシブルプリント基板４０のモータ端子用貫通孔４０Ａに複数の突出部４０ＡＡを当該モータ端子用貫通孔４０Ａの中心位置を中心とする点対称状に形成するようにした場合について述べたが、本発明はこれに限らず、かかるモータ端子用貫通孔４０Ａの突出部４０ＡＡを点対称状以外のパターンで形成するようにしても良い。
【００６０】
また上述の実施の形態においては、フレキシブルプリント基板４０のモータ端子用貫通孔４０Ａに４つの突出部４０ＡＡを形成するようにした場合について述べたが、本発明はこれに限らず、かかる突出部４０ＡＡを５つ以上形成するようにしても良く、かかる突出部４０ＡＡの数は４つには限定されない。
【００６１】
さらに上述の実施の形態においては、フレキシブルプリント基板４０のモータ端子用貫通孔４０Ａの突出部４０ＡＡを山形状に形成するようにした場合について述べたが、本発明はこれに限らず、例えば円弧状に形成するようにしても良く、かかる突出部４０ＡＡの形状としては、この他種々の形状を広く適用することができる。
【００６２】
同様に、上述の実施の形態においては、フレキシブルプリント基板４０のモータ端子用貫通孔４０Ａの隣接する突出部４０ＡＡ間を接続する接続部４０ＡＢを、突出部４０ＡＡと滑らかに続く円弧状に形成するようにした場合について述べたが、本発明はこれに限らず、例えば楕円の一部とするなどこの他種々の形状を広く適用することができる。
【００６３】
本発明は、例えば可動式のコリメータレンズを用いた球面収差補正機構が搭載された光ピックアップ装置に広く適用することができる。
【符号の説明】
【００６４】
１……光ピックアップ装置
２……光ディスク
３……光ピックアップ
３５……カップリングレンズ
３９……カップリングレンズ移動機構
４０……フレキシブルプリント基板
４０Ａ……モータ端子用貫通孔
４０ＡＡ……突出部
４０ＡＢ……接続部
４０Ｂ……ランドパターン
４１……ステッピングモータ
４１Ｂ……端子
【図１】
2011248981.tif 000003
【図２】
2011248981.tif 000004
【図３】
2011248981.tif 000005
【図４】
2011248981.tif 000006
【図５】
2011248981.tif 000007
【図６】
2011248981.tif 000008